(57)【要約】【課題】押し出し材の加工販売業者が押し出し材を顧客から受注し、且つ、加工した製品を該顧客に納品する方法において、受注及び加工をインターネット等の通信ネットワークの利用により容易、且つ、迅速にして、合理化を図ることができるものである。【解決手段】加工販売業者と顧客４とをインターネット等の通信ネットワークを介して接続し、前記加工販売業者が該インターネットメール等の電子メールによって前記顧客４からの注文情報をパソコンで受信し、このインターネットメールによって受信したファイルを指定形に変換し、かつ、注文情報による対象製品をグループ化して同種の製品にまとめてメモリカードまたはメモリディスクに格納し、このメモリカードまたはメモリディスクを加工自動専用機９にかけて、押し出し材の切断加工を行い、製品を納品する。【選択図】　　　　図１
2004139228.tif 000002
【特許請求の範囲】
【請求項１】
押し出し材の加工販売業者が押し出し材を顧客から受注し、且つ、加工した製品を該顧客に納品する方法において、前記加工販売業者と前記顧客とをインターネットその他の電子計算機端末による通信ネットワークを介して接続し、前記加工販売業者が該通信ネットワークによって前記顧客からの注文情報をパソコンで受信し、この電子メールによって受信したファイルを指定形に変換し、かつ、注文情報による対象製品をグループ化して同種の製品にまとめてメモリカードまたはメモリディスクに格納し、このメモリカードまたはメモリディスクを加工自動専用機にかけて、押し出し材の切断加工を行い、製品を納品することを特徴とするインターネットその他の電子計算機端末による通信ネットワークを利用した押し出し材の加工販売方式。
【請求項２】
加工販売業者は製品製作完了時に、電子メールによって受信した顧客からの注文情報をもとに納品書データを作成し、この納品書データは電子メールによって顧客に送信する請求項１記載のインターネットその他の電子計算機端末による通信ネットワークを利用した押し出し材の加工販売方式。
【発明の詳細な説明】
【０００１】
【発明の属する技術分野】
本発明は、一例として、ガラス板状体、合せガラスあるいは複層ガラス等の枠体用のグレチャン（グレ−ジングチャンネル）であるガラス窓用断熱樹脂複合押し出し材、またはその他の樹脂押し出し材、もしくは金属の押し出し材の加工販売方式に関する。
【０００２】
【従来の技術】
最近、省エネルギ−や防音等によって例えばより優しい生活環境を創出するため、従来に増して断熱性能と遮音性能を有する複層ガラスの使用頻度が高まり、際立った普及を示している。そのなかで、かかる複層ガラスにおいて、シ−ル性の向上または／およびガラス板状体や複層ガラス等の端部の保護をするとともに、これらガラス板状体や合せガラスや複層ガラス等のサッシ枠への取り付け施工作業をより簡便で効率よくできるようにしようとすることが提案されている。
【０００３】
その一つとして、図５に示すように、ガラス板状体、合せガラスあるいは複層ガラス１の周縁部面および端面を囲繞するようにグレチャン（グレ−ジングチャンネル）２を予め装着させておき、このようなグレチャン付複層ガラス１をサッシ３に嵌合させるようにしている。
【０００４】
前記グレチャン２としては、硬質なポリ塩化ビニルなどの硬質材料による断面略コ字状の本体部材２ａの開口部近傍で内接するガラス板面との当接部分に軟質なポリ塩化ビニルなどの前記断面略コ字状の本体部材に比べて軟質のＣ字状のシール部材２ｂを前記本体部材２ａと一体的に接合して設けてなる。
【０００５】
このグレチャン２は断熱樹脂の複合押し出し材であり、使用可能なサッシ毎に加工機で切断加工して、複層ガラス１に取り付ける。
【０００６】
前記先行技術は、当業者間で一般的に行われているものであり、文献公知発明に係るものではない。
【０００７】
【発明が解決しようとする課題】
しかし、サッシは各メーカー毎にそれぞれ寸法が異なり、切断長さやＶカット溝の形成、底部に水抜き用の穴を形成するなどで種々の寸法の製品が必要となる。
【０００８】
従来はこれらをその都度、加工しており、非常に煩雑であった。なお、このグレチャン２の加工を複層ガラス１のガラスメーカー自体が行う場合はともかく、ガラスメーカーを顧客としてこれから受注する場合は、電話やＦＡＸによるものであり、加工用工程も複雑となり、歩留りも悪いものであった。
【０００９】
また、社内管理として、納品完了日に売り上げを計上するが、それも製品の種類の多さから、極めて面倒であった。
【００１０】
本発明の目的は前記従来例の不都合を解消し、受注及び加工をインターネット等の利用により容易、且つ、迅速にして、合理化を図ることができるインターネットその他の電子計算機端末による通信ネットワークを利用した押し出し材の加工販売方式を提供することにある。
【００１１】
【課題を解決するための手段】
本発明は前記目的を達成するため、第１に、押し出し材の加工販売業者が押し出し材を顧客から受注し、且つ、加工した製品を該顧客に納品する方法において、前記加工販売業者と前記顧客とをインターネットその他の電子計算機端末による通信ネットワークを介して接続し、前記加工販売業者が該通信ネットワークによって前記顧客からの注文情報をパソコンで受信し、この電子メールによって受信したファイルを指定形に変換し、かつ、注文情報による対象製品をグループ化して同種の製品にまとめてメモリカードまたはメモリディスクに格納し、このメモリカードまたはメモリディスクを加工自動専用機にかけて、押し出し材の切断加工を行い、製品を納品することを要旨とするものである。
【００１２】
第２に、加工販売業者は製品製作完了時に、電子メールによって受信した顧客からの注文情報をもとに納品書データを作成し、この納品書データは電子メールによって顧客に送信することを要旨とするものである。
【００１３】
請求項１の本発明によれば、顧客からの受注は電子メールを通じて行えるので、全国のどこからでも、また、多数でも簡単に受注でき、さらに、この受注内容はそのまま手をかけずにＰＣカードまたはＣＤ−ＲＯＭに格納し、このＰＣカードまたはＣＤ−ＲＯＭを加工自動専用機にかけて、運転制御し、押し出し材の加工を行うことができる。
【００１４】
また、加工自動専用機では、製品をグループ化して同種の製品にまとめて、加工作業を行うことができ、歩留りの向上を期することができる。
【００１５】
請求項２記載の本発明によれば、前記作用に加えて、電子メールによって受信した顧客からの注文情報をもとに納品書データを作成することで、納品書作成業務の効率化を図ることができる。
【００１６】
しかも、顧客は請求書等を受け取る前の早い段階で、納品状況を知ることができる。
【００１７】
【発明の実施の形態】
以下、図面について本発明の実施形態を詳細に説明する。図１は本発明のインターネットその他の電子計算機端末による通信ネットワークを利用した押し出し材の加工販売方式の説明図で、押し出し材としては、ガラス窓用断熱樹脂複合押し出し材の場合である。図中４は顧客で、前記複層ガラス１の製品を扱うガラスメーカーがこれに該当する。また、利用する電子計算機端末による通信ネットワークとしてはインターネットの場合で説明するが、これに限定されるものではない。
【００１８】
５はガラス窓用断熱樹脂複合押し出し材、いわゆるグレチャンの受注販売会社、６は下請け加工会社で、本実施形態では加工販売業者としては、このように受注販売会社５と下請け加工会社６とに分かれる事例である。
【００１９】
受注販売会社５は自己のパソコン（図示せず）に対して、顧客４から電子メールとしてのインターネットメール７によりグレチャン２の注文を受ける。図６はこの受注内容を示す表で、（ＥＸＥＬ）形式での印字可能な表であり、「注文Ｎｏ．」「グレチャンタイプ」「色コート」「Ｖカット」「切断長」「切断Ｈ」「切断Ｗ」「単位面積」が書き込まれている。
【００２０】
受注販売会社５では、前記インターネットメール７で受注したグレチャン２の注文と同じ内容のものをインターネットメール８で下請け加工会社６に送信する。
【００２１】
なお、受注販売会社５や下請け加工会社６のパソコンではこの図７に示す表に、さらに、一品一品オーダー内容をラベル表示をしていくためのラベル「枚数」、「ラベル表示」を貼り付け、製品毎のラベルを印字できるようにする。
【００２２】
次ぎに、下請け加工会社６で使用する加工自動専用機９について説明する。図２〜図４に示すように、挿入部１０と排出部１１との間に材料ツカミ１２や切断装置１３を有するもので、挿入部１０の脇に操作用タッチパネル１４を設置してある。
【００２３】
図８に加工自動専用機９の動作フローを示す。
【００２４】
前記操作用タッチパネル１４は脇にＰＣカード挿入口１５を設け、ここにＰＣカード（メモリカード）１６を挿入してまたはＣＤ−ＲＯＭ等のメモリディスクのドライブを備えて生産データを読み込めるようにした。
【００２５】
前記インターネットメールによって受信したグレチャン２の受注内容（注文書）ファイルはパソコンにおいて指定形（生産指示データファイル形式）に変換してＰＣカード１６に格納する。この処理において、まず、ＰＣカード１６を前記ＰＣカード挿入口１５にセットして、初期設定として、注文書のエクセルファイル名を入力し、データ変換処理後、ＰＣカード１６に書き出す生産指示の大ロット、小ロットのファイル名を入力し、ＰＣカード１６により生産実績データを読み込み可能とするフォルダー名を入力し、定尺寸法、２本／４本切り選択、大ロットデータの最大数、小ロットデータの最大数、箱詰め数、グループ化（最適化時のグループ化するデータ数）などを入力する。
【００２６】
次ぎにＰＣカード１６に生産指示データを作成するが、これは注文順位の通りにＰＣカード１６に格納することも可能であるが、前記グループ化したことに従った最適化順位で並び替えを行い、ＰＣカード１６に格納される。このように生産指示データを作成開始するとＰＣカード１６に格納された前回の生産実績データが削除される。
【００２７】
すなわち、前記手続きはインターネットメールによって受信した注文内容、その内容データはエクセルのデータであるが、これをＰＣカード１６の他のファイル形式のソフトに落として、加工指示を行う。その加工指示間において、ＰＣカード１６の中で、生産の順位や任意に生産の量を限定して、歩留り適正、生産の品種のグルーピングを行うものである。
【００２８】
このようにして、図９に示すような数量および種別ごとにグループ分けされた生産指示データがＰＣカード１６に格納され、このデータにより加工自動専用機９はガラス窓用断熱樹脂複合押し出し材、いわゆるグレチャン２の生産加工を行う。この加工は角度切り、端部切り、および終わった次工程で有るべきところに穴明けを行うことを内容とする。
【００２９】
生産完了後は、前記ＰＣカード１６に生産実績データが格納されるが、このＰＣカード１６をパソコンにかけることにより図１０に示すような生産実績データー一覧が作製される。
【００３０】
図１１に生産指示及び生産実績データの内容を示す。
【００３１】
この生産実績データをエクセルファイルに変換することにより、図１２に示すような単価・金額等を付加した納品書データが作製され、これは社内処理用として利用される他に一定期間（例えば１週間分）のものとを纏めてインターネットメールによって顧客１に送信される。
【００３２】
また、前記加工された製品は下請け加工会社６から顧客１に納品される。
【００３３】
以上述べた実施形態は、樹脂押し出し材の加工の場合について説明したが、アルミニウムその他の金属等の押し出し材の加工の場合についても本発明は同様に適用できるものである。
【００３４】
【発明の効果】
以上述べたように本発明のインターネットその他の電子計算機端末による通信ネットワークを利用した押し出し材の加工販売方式は、受注及び加工をインターネット等の通信ネットワークの利用により容易、且つ、迅速にして、合理化を図ることができるものである。
【図面の簡単な説明】
【図１】本発明のインターネットその他の電子計算機端末による通信ネットワークを利用した押し出し材の加工販売方式の１実施形態を示す説明図である。
【図２】加工自動専用機の側面図である。
【図３】加工自動専用機の平面図である。
【図４】加工自動専用機の正面図である。
【図５】グレチャンの説明図
【図６】受注表の正面図である。
【図７】受注表にラベル表示を貼り付けた表の正面図である。
【図８】加工自動専用機の動作を示すフローチャートである。
【図９】生産指示データを示す表である。
【図１０】生産実績データ一覧を示す表である。
【図１１】生産指示及び生産実績データの内容を示す表である。
【図１２】納品書データを示す表である。
【符号の説明】
１…複層ガラス　　　　　　　２…グレチャン
２ａ…本体部材　　　　　　　２ｂ…シール部材
３…サッシ　　　　　　　　　４…顧客
５…受注販売会社　　　　　　６…下請け加工会社
７，８…インターネットメール
９…加工自動専用機　　　　　１０…挿入部
１１…排出部　　　　　　　　　１２…材料ツカミ
１３…切断装置　　　　　　　　１４…操作用タッチパネル
１５…ＰＣカード挿入口　　　　１６…ＰＣカード（メモリ）
【図１】
2004139228.tif 000003
【図２】
2004139228.tif 000004
【図３】
2004139228.tif 000005
【図４】
2004139228.tif 000006
【図５】
2004139228.tif 000007
【図６】
2004139228.tif 000008
【図７】
2004139228.tif 000009
【図８】
2004139228.tif 000010
【図９】
2004139228.tif 000011
【図１０】
2004139228.tif 000012
【図１１】
2004139228.tif 000013
【図１２】
2004139228.tif 000014